(57)【要約】【課題】食器乾燥機の着脱式水受板を、本体に乾燥機食器籠を装着したままで抜き差し自在とし、洗浄時の取出しおよび挿入を極めて簡便に行えるようにするとともに、本体が余分な高さとなることを防止し、構成のコンパクト化を図る。【解決手段】台上に水平に載置し得る略箱形の本体１と、この本体１の上方に乾燥室２を画成する開閉可能な半円筒状の透明なカバー３と、乾燥室２内に着脱可能に収容される食器４ａ収納用の食器籠４と、本体１内に設けられ、乾燥室２内に温風を供給する温風供給装置５と、食器籠４の下方に配置される水受皿６と、この水受皿６を支持する本体１と一体の内側ケーシング７とを備え、水受皿６は、食器籠４と非干渉な配置で本体１から抜き差し可能に設けられる。【選択図】  図１
2004321707.tif 000002
【特許請求の範囲】
【請求項１】
台上に水平に載置し得る本体と、この本体の上方に乾燥室を画成する開閉可能なカバーと、前記乾燥室内に収容される食器籠と、前記本体に設けられ、前記乾燥室内に温風を供給する温風供給装置と、前記食器籠の下方に配置される水受皿とを備え、前記水受皿は、前記食器籠と非干渉な配置で前記本体から抜き差し可能に設けられていることを特徴とする食器乾燥機。
【請求項２】
前記食器籠は、前記本体の上面両側位置に当接支持され、前記水受皿は、前記本体の上面における前記食器籠の当接位置よりも内側下方に段差をもって形成された内側ケーシングの上面にスライド可能に支持されて前記本体の上面に沿って抜き差し可能とされている請求項１記載の食器乾燥機。
【請求項３】
前記水受皿は、平面視略四角形の水平枠部と、この水平枠部の内周縁から下方に向って傾斜する略逆四角錐状の水受主板部と、この水受主板部の最下端位置に凹設された集水用筒部と、この集水用筒部の底壁に穿設された排水口とを有し、前記本体に設けられた内側ケーシングは、前記水受皿と略同等の傾斜角をもって下方に向う略逆四角錐状の傾斜壁と、この傾斜壁の下端位置に設けられ、前記水受皿の排水口と連通する排水口を有し、この排水口の下方には前記本体の内底部上に支持された水受カップが配置されている請求項２記載の食器乾燥機。
【請求項４】
前記水受皿は、前記本体における操作パネルが設けられる前面側に向って抜き差し可能とされされるとともに、前記カバーは、前記本体の前縁側において上下方向に開閉可能とされており、かつ前記本体の前面側における上面は、前記内側ケーシングの前縁における上面よりも低く設定される一方、前記水受皿の前縁は、前記本体の前面側の上方に隙間をもって前記内側ケーシングの前縁から前方に向って突出し、この突出部分が前記水受皿の抜き差し用摘み部とされている請求項３記載の食器乾燥機。
【請求項５】
前記カバーは前カバーと後カバーとに２分されて前記本体の両側および後側における上面周辺部に着脱可能に載置されており、前記本体の両側位置の上面周辺部における前カバー支持用の上面周辺部は、後カバー支持用の上面周辺部よりも低く形成され、前カバー支持高さが後カバー支持高さよりも低く設定されている請求項４記載の食器乾燥機。
【請求項６】
前記水受皿は、鉄板もしくはステンレス鋼製であり、その表面にホウロウ仕上げもしくはフッ素樹脂による着色もしくは無着色のコーティングが施されている請求項１記載の食器乾燥機。
【発明の詳細な説明】
【０００１】
【発明の属する技術分野】
本発明は、主として家庭用として適用される食器乾燥機に係り、特に水受皿を独立して本体に着脱できるようにして洗浄の容易化を図った食器乾燥機に関するものである。
【０００２】
【従来の技術】
一般に、食器乾燥機は、上面が開口した本体と、本体上に設けられた開閉可能なカバーと、本体とカバーとにより囲まれる空間に形成される乾燥室と、乾燥室に温風を供給する温風供給装置と、乾燥室内に設けられる食器籠と、食器籠の下方に配置された排水口を有する水受部とを備えた構成とされている。
【０００３】
しかるに、従来の一般的な構成においては、水受部が本体の内部に固定的に設けられ、その表面に水垢等が固定付着した場合の洗浄が困難であった。
【０００４】
そこで、近年においては、水受部の構成として、食器籠の下方かつ本体の上側に着脱可能に水受皿を配置できるようにし、この水受皿の全体を本体から外して、所謂丸洗いを可能とする提案がされている（特許文献１〜４参照）。
【０００５】
【特許文献１】
特開２００１−１２８９１９号公報（明細書［００５６］［００６３］、図６、図７）
【０００６】
【特許文献２】
特開２０００−３００５０３号公報
【０００７】
【特許文献３】
特開２０００−２４５６８０号公報
【０００８】
【特許文献４】
特開２０００−１３９８１０号公報
【０００９】
【発明が解決しようとする課題】
しかしながら、上述した従来の提案においては、いずれも水受皿の上に食器籠を搭載して配置する構成とされている。そして、水受皿を洗浄する場合には、まず食器籠を本体から取外して台等の上に載置した後に、上方が開放状態となった本体の上面側から水受皿を取外すようになっている。
【００１０】
このように、上述した従来の各技術においては、水受皿を洗浄しようとする場合、２段階の取外しが必要となる。しかも、この場合の操作は、水受皿についても、上方への持ち上げ操作の後に、流し場のシンク等まで横移動させるという迂回的な操作も必要となる。
【００１１】
なお、取外した食器籠を置くには、所要のスペースを必要とし、食器籠内に食器が収容されている場合には、取扱いに不便な場合もある。しかも、食器籠を上方に持ち上げる場合、食器籠の大きさは乾燥室内の容積面積の略全体を占めることが多く、乾燥室を覆うカバーは一般に前後半分を超える程度の開口しかない構成とされているので、食器籠を取外すには、カバーも本体から外さなければならない場合が多い。
【００１２】
本発明は、このような事情に鑑みてなされたもので、着脱式の水受板を、食器籠を装着状態のままで抜き差し自在とし、洗浄時の取出しおよび挿入を極めて簡便に行える食器乾燥機を提供することを目的とする。
【００１３】
【課題を解決するための手段】
前記の目的を達成するために、請求項１に係る発明では、台上に水平に載置し得る本体と、この本体の上方に乾燥室を画成する開閉可能なカバーと、前記乾燥室内に収容される食器籠と、前記本体に設けられ、前記乾燥室内に温風を供給する温風供給装置と、前記食器籠の下方に配置される水受皿とを備え、前記水受皿は、前記食器籠と非干渉な配置で前記本体から抜き差し可能に設けられていることを特徴とする食器乾燥機を提供する。
【００１４】
請求項２に係る発明では、前記食器籠は、前記本体の上面両側位置に当接支持され、前記水受皿は、前記本体の上面における前記食器籠の当接位置よりも内側下方に段差をもって形成された内側ケーシングの上面にスライド可能に支持されて前記本体の上面に沿って抜き差し可能とされている請求項１記載の食器乾燥機を提供する。
【００１５】
請求項３に係る発明では、前記水受皿は、平面視略四角形の水平枠部と、この水平枠部の内周縁から下方に向って傾斜する略逆四角錐状の水受主板部と、この水受主板部の最下端位置に凹設された集水用筒部と、この集水用筒部の底壁に穿設された排水口とを有し、前記本体に設けられた内側ケーシングは、前記水受皿と略同等の傾斜角をもって下方に向う略逆四角錐状の傾斜壁と、この傾斜壁の下端位置に設けられ、前記水受皿の排水口と連通する排水口を有し、この排水口の下方には前記本体の内底部上に支持された水受カップが配置されている請求項２記載の食器乾燥機を提供する。
【００１６】
請求項４に係る発明では、前記水受皿は、前記本体における操作パネルが設けられる前面側に向って抜き差し可能とされされるとともに、前記カバーは、前記本体の前縁側において上下方向に開閉可能とされており、かつ前記本体の前面側における上面は、前記内側ケーシングの前縁における上面よりも低く設定される一方、前記水受皿の前縁は、前記本体の前面側の上方に隙間をもって前記内側ケーシングの前縁から前方に向って突出し、この突出部分が前記水受皿の抜き差し用摘み部とされている請求項３記載の食器乾燥機を提供する。
【００１７】
請求項５に係る発明では、前記カバーは前カバーと後カバーとに２分されて前記本体の両側および後側における上面周辺部に着脱可能に載置されており、前記本体の両側位置の上面周辺部における前カバー支持用の上面周辺部は、後カバー支持用の上面周辺部よりも低く形成され、前カバー支持高さが後カバー支持高さよりも低く設定されている請求項４記載の食器乾燥機を提供する。
【００１８】
請求項６に係る発明では、前記水受皿は、鉄板もしくはステンレス鋼製であり、その表面にホウロウ仕上げもしくはフッ素樹脂による着色もしくは無着色のコーティングが施されている請求項１記載の食器乾燥機を提供する。
【００１９】
【発明の実施の形態】
以下、本発明に係る食器乾燥機の一実施形態について、図面を参照して説明する。
【００２０】
図１は、食器乾燥機の構成を示す分解斜視図であり、図２は、食器乾燥機の構成を一部断面として示す正面図である。図３は、図２のＡ−Ａ線断面図である。図４は、食器乾燥機の水受け板引出し状態を示す説明図である。図５は、食器乾燥機のカバーおよび食器籠を外した状態を示す平面図である。図６は、図５のＢ−Ｂ線に沿って切断した水受け板の断面図であり、図７は、図５のＣ−Ｃ線に沿って切断した水受け板の断面図である。
【００２１】
図１〜図３に示すように、本実施形態の食器乾燥機は、大別して、台上に水平に載置し得る略箱形の本体１と、この本体１の上方に乾燥室２を画成する開閉可能な半円筒状の透明なカバー３と、乾燥室２内に着脱可能に収容される食器４ａ収納用の食器籠４と、本体１内に設けられ、乾燥室２内に温風を供給する温風供給装置５と、食器籠４の下方に配置される水受皿６と、この水受皿６を支持する本体１と一体の内側ケーシング７とを備えている。
【００２２】
本体１は、略直方体状をなし、この本体１の一側面側には「入」、「切」等の表示が施された操作パネル８が設けられている。操作パネル８の内方には、図示省略の電気的回路部材が収納されている。以下の説明においては、この操作パネル８が配置された側面を「前面」として説明する。
【００２３】
本体１の内底部には、温風供給装置５を構成する送風機９、ダクト１０、ヒータ１１等が配置され、ダクトの先端は本体１の後部上方に導かれ、本体１の上面側に向って開口する温風供給口１２から温風を吹出すようになっている。
【００２４】
本体１の上面前縁部、両側部および後縁部の各周辺側部分は、カバー載置面１ａとされている。このカバー載置面１ａは、上面両側部の前後方向中間位置から後縁部にかけて同一高さとされているが、上面両側部の前後方向中間位置から前縁側に亘る範囲は、一段低く形成されている。すなわち、カバー３は４半分円筒状の前カバー３ａと後カバー３ｂとに２分されて本体１上にドーム状に載置される構成となっており、これら前カバー３ａと後カバー３ｂとは水平な軸１３を介して回転自在に連結されている。
【００２５】
そして、前カバー３ａは後カバー３ｂよりも下辺が長く形成されている。このカバー３が本体１の両側および後側における上面周辺部に着脱可能に載置されており、本体１の両側位置の上面周辺部における前カバー３ａ支持用の上面周辺部１ａ１は、後カバー支持用の上面周辺部１ａ２よりも低く形成され、前カバー支持高さが後カバー支持高さよりも低く設定されている。これにより、本体１上に載置されるカバー３の全体高さが低く設定されている。
【００２６】
また、本体１の上面両側部における内側周辺部分は、食器籠載置面１ｂとされ、前後方向全体に亘って同一高さとされている。食器籠４は上面が開口した格子状の構成のもので、底部両側方向、すなわち左右方向に突出して下方に折曲した側面視Ｌ字形の支持脚部１４を有している。これらの支持脚部１４が本体１の上面両側部における内側周辺部分の食器籠載置面１ｂに着脱自在に載置されている。これにより、食器籠４は、その底面位置が本体１上方に隙間をあけた状態で載置されるようになる。
【００２７】
さらに、本体１の上面中央部分、すなわち周辺のカバー載置面１ａおよび食器籠載置面１ｂを除く中央部分の全体には、水受皿６を支持する内側ケーシング７が一体に設けられている。この内側ケーシング７については、水受皿６の構成とともに説明する。
【００２８】
図１、２、３により全体的に、また図５、６、７により拡大して示すように、水受皿６は、前縁側が幅広で、両側および後縁側が若干幅狭となる略同一幅の平面視略四角形の水平枠部６ａと、この水平枠部６ａの内周縁から下方に向って急角度で帯状に傾斜する傾斜連結部６ｂと、この傾斜連結部６ｂからさらに内方に向って緩やかに傾斜する略逆四角錐状の水受主板部６ｃと、この水受主板部６ｃの最下端位置に凹設された集水用筒部６ｄと、この集水用筒部６ｄの底壁に穿設された排水口６ｅとを有する。水平枠部６ａの外周側には、一定の上下幅をもって垂下する垂下外壁６ｆが一体に設けられ、この垂下外壁６ｆの下端は上向き内側に折返されて、下端縁が非鋭利となっている。
【００２９】
一方、本体１に設けられた内側ケーシング７は、水受皿６と略同等の傾斜角をもって下方に向う略逆四角錐状の傾斜壁７ａと、この傾斜壁７ａの下端位置に設けられ、水受皿６の集水用筒部６ｄを囲む集水用筒部７ｂおよび水受皿６の排水口６ｅと連通する排水口７ｃを有している。内側ケーシング７の排水口７ｃの下方には本体１の内底部上に支持された水受カップ２０が配置されている。水受皿６の排水口６ｅの下端の高さ位置は、内側ケーシング７上に載置された状態において、内側ケーシング７の排水口７ｃの上側位置と略同程度の高さに設定されている。これにより、水受皿６の前端を、食器棚４の底面高さの範囲内で少し上向きに持上げた状態において、水受皿６の下面側は、内側ケーシング７の上面側に非干渉な状態で、前後方向にスライド移動できる設定とされている。
【００３０】
内側ケーシング７の上面の周縁部は、食器籠載置面１ｂよりも低いが、前端のカバー載置面１ａ（１ａ１）よりは高い配置とされ、かつ周縁全体は水平とされている。すなわち、内側ケーシング７の上面の両側縁部分および後縁側部分は、本体１の両側上面である食器籠載置面１ｂおよび後部上面であるカバー載置面１ａよりも低いことにより、この内側ケーシング７の上面の両側縁部分および後縁側部分は、本体１の両側および後部の３辺に対し、段差１５をもって低い窪みとして形成されている。一方、内側ケーシング７の上面における前縁側は、食器籠載置面１ｂよりも低いが、カバー載置面１ａ（１ａ１）よりも高い配置とされ、段差１６をもって上方に突出した形状となっている。
【００３１】
水受皿６は、このような構成の内側ケーシング７の上面側に、前縁以外の３辺を略一致する状態で載置されている。すなわち、水受皿６の水平枠部６ａの周辺が、内側ケーシング７の両側および後側の３辺の段差１５からなる隅角部に嵌合する状態で載置されるとともに、水受皿６の前縁は、本体１の前面側の上方に隙間をもって内側ケーシング７の前縁の段差１６から前方に向って突出している。この突出部分としての垂下外壁６ｆが水受皿６の抜き差し用摘み部１７とされている。
【００３２】
なお、上述した前カバー３ａの前板部分は、本体１上面における前縁の前側に配置され、この部分にカバー摘み部３ｃを有し、上下方向に開閉動作可能とされている。
【００３３】
これにより、水受皿６は、抜き差し用の摘み部１７を指先によって把持することにより、食器籠４と非干渉な配置で本体１の前方に沿ってスライド動作により抜き差し可能である。この場合、水受皿６は内側ケーシング７の上面にスライド可能に支持されて本体１の上面に沿って抜き差し可能とされ、さらに前カバー３ａは本体１の前縁側において上下方向に開閉可能とされているので、水受皿６は前カバー３ａを上方に持上げることによって形成される本体１前面側の開口部から、抜き差しすることができる。
【００３４】
そして、本体１の前面側における上面は、内側ケーシング７の前縁における上面よりも低く設定される一方、水受皿６の前縁は、本体１の前面側の上方に隙間をもって前記内側ケーシング７の前縁から前方に向って突出し、この突出部分が水受皿６の抜き差し用摘み部１７とされているので、使用者は、この水受皿６の前端の摘み部１７を摘んで引き出す際には、少し上向きに引き出すようにする。
【００３５】
なお、水受皿６は、鉄板もしくはステンレス鋼製とされている。そして、望ましくは、その表面にホウロウ仕上げもしくはフッ素樹脂、例えばポリテトラフルオロエチレン樹脂のコーティングが着色または無着色として施される。
【００３６】
以上の実施形態の構成によれば、台上に水平に載置し得る本体１と、この本体１の上方に乾燥室２を画成する開閉可能なカバー３と、乾燥室２内に収容される食器籠４と、本体１に設けられ、乾燥室２内に温風を供給する温風供給装置５と、食器籠４の下方に配置される水受皿６とを備え、水受皿６は、食器籠４と非干渉な配置で本体１から抜き差し可能に設けられているので、水受板を本体１に乾燥機食器籠４を装着したまま単独で着脱することができ、従来技術と異なり食器籠４あるいはカバー３を取外す必要なく、水受板の洗浄時における取出し、および挿入操作が極めて簡便に行えるようになる。水受皿６の本体１への挿入時には、抜き出し時と逆に、内側ケーシング７の上面の段差１５をガイドとして容易に挿入できるとともに、食器間装時においては、段差１５により位置決めがなされ、所定の固定位置に安定保持することができる。
【００３７】
また、本実施形態によれば、食器籠４は、本体１の上面両側位置に当接支持され、水受皿６は、本体１の上面における食器籠４の当接位置よりも内側下方に段差１５をもって形成された内側ケーシング７の上面にスライド可能に支持されて本体１の上面に沿って抜き差し可能とされているので、水受皿６を本体１に対して極めて容易に抜き差しすることができ、例えば片手操作等も行える等、利便性が大幅に向上できる。
【００３８】
さらに、本実施形態によれば、水受皿６は、平面視略四角形の水平枠部６ａと、この水平枠部６ａの内周縁から下方に向って傾斜する略逆四角錐状の水受主板部６ｃと、この水受主板部６ｃの最下端位置に凹設された集水用筒部６ｄと、この集水用筒部６ｄの底壁に穿設された排水口６ｅとを有し、本体１に設けられた内側ケーシング７は、水受皿６と略同等の傾斜角をもって下方に向う略逆四角錐状の傾斜壁７ａと、この傾斜壁７ａの下端位置に設けられ、水受皿６の排水口６ｅと連通する排水口７ｃを有し、この排水口７ｃの下方には本体１の内底部上に支持された水受カップ２０が配置されているので、構成が簡易であるとともに、排水も確実に行うことができる。
【００３９】
また、本実施形態によれば、水受皿６は、本体１における操作パネル８が設けられる前面側に向って抜き差し可能とされされるとともに、カバー３は、本体１の前縁側において上下方向に開閉可能とされているので、水受皿６はカバー３を上方に持上げることによって形成される本体１前面側の開口部から、容易に抜き差しすることができる。
【００４０】
そして、本体１の前面側における上面は、内側ケーシング７の前縁における上面よりも低く設定される一方、水受皿６の前縁は、本体１の前面側の上方に隙間をもって内側ケーシング７の前縁から前方に向って突出し、この突出部分が水受皿６の抜き差し用摘み部１７とされているので、使用者は、単に水受皿６の前側端部を摘むだけで、容易かつ迅速に抜き差しすることができ、抜き差し操作が極めて容易かつ確実に行える。
【００４１】
さらに、本実施形態では、カバー３は前カバー３ａと後カバー３ｂとに２分されて本体１の両側および後側における上面周辺部に着脱可能に載置されており、本体１の両側位置の上面周辺部における前カバー支持用の上面周辺部は、後カバー支持用の上面周辺部よりも低く形成され、前カバー支持高さが後カバー支持高さよりも低く設定されているので、水受皿６を食器籠４と干渉しないように上下方向に離間配置としたにも拘らず、食器乾燥機全体高さを余分に大きくする必要なく、全体高さを可能な限り低くして構成のコンパクト化、設置および使用し易さを確保することができる。
【００４２】
さらにまた、本実施形態では、水受皿６は、鉄板もしくはステンレス鋼製であり、その表面にホウロウ仕上げもしくはフッ素樹脂による着色もしくは無着色のコーティングが施されているので、強度が高く、かつ洗浄が容易で汚れの固着等を防止し、清潔性および美観性を長期間、良好に保持することができる。
【００４３】
【発明の効果】
以上のように、本発明によれば、着脱式水受板を、本体に乾燥機食器籠を装着したままで抜き差し自在としたので、洗浄時の取出しおよび挿入を極めて簡便に行える。また、ケースを含めた構成が余分な高さとなることを防止し、構成のコンパクト化を図ることができる。
【図面の簡単な説明】
【図１】本発明の一実施形態による食器乾燥機の構成を示す分解斜視図。
【図２】本発明の一実施形態による食器乾燥機の構成を一部断面として示す正面図。
【図３】図２のＡ−Ａ線断面図。
【図４】本発明の一実施形態による食器乾燥機の水受け板引出し状態を示す説明図。
【図５】本発明の一実施形態による食器乾燥機のカバーおよび食器籠を外した状態を示す平面図。
【図６】図５のＢ−Ｂ線に沿って切断した水受け板の断面図。
【図７】図５のＣ−Ｃ線に沿って切断した水受け板の断面図。
【符号の説明】
１  本体
１ａ  カバー載置面
１ｂ  食器籠載置面
２  乾燥室
３  カバー
３ａ  前カバー
３ｂ  後カバー
４ａ  食器
４  食器籠
５  温風供給装置
６  水受皿
６ａ  水平枠部
６ｂ  傾斜連結部
６ｃ  水受主板部
６ｄ  集水用筒部
６ｅ  排水口
６ｆ  垂下外壁
７  内側ケーシング
７ａ  傾斜壁
７ｂ  集水用筒部
７ｃ  排水口
８  操作パネル
９  送風機
１０  ダクト
１１  ヒータ
１２  温風供給口
１３  軸
１４  支持脚部
１５，１６  段差
１７  抜き差し用摘み部
２０  水受カップ
【図１】
2004321707.tif 000003
【図２】
2004321707.tif 000004
【図３】
2004321707.tif 000005
【図４】
2004321707.tif 000006
【図５】
2004321707.tif 000007
【図６】
2004321707.tif 000008
【図７】
2004321707.tif 000009